(57)【要約】【課題】セキュリティ認証された蓄積文書のセキュリティをより向上させることである。【解決手段】画像一覧表示の対象となる全画像の表示処理が完了していなときにサムネイルを表示するか否かを判断する（Ｓ１−Ｓ３）。前記判定処理後、画像のサムネイルの可不可を判断し（Ｓ４）、サムネイル表示可能であれば、画像管理部に画像データの転送処理を行わせ（Ｓ５）、画像データが転送されると、画像表示処理が行われ、画像が表示部にサムネイルとして表示される（Ｓ６）。Ｓ４でサムネイル表示不可能であれば、制御部は表示管理部に事前に用意された保留画像と本来表示すべき画像のファイル名を表示する（Ｓ７）。【選択図】図１０
2007220025.tif 000002
【特許請求の範囲】
【請求項１】
画像データに対応する画像のサムネイルを表示する表示手段を備え、蓄積された文書のセキュリティを考慮したサムネイルを表示する画像処理装置において、
画像データのセキュリティ属性に基づいてサムネイルの表示／非表示を判断するサムネイルの表示／非表示制御手段と、
セキュリティ認証されたサムネイルが表示されている場合に、サムネイルの表示からサムネイル非表示に切り替えるサムネイル表示解除制御手段と、
を備えていることを特徴とする画像処理装置。
【請求項２】
前記サムネイル表示解除制御手段は、予め設定された時間でサムネイル非表示とすることを特徴とする請求項１記載の画像処理装置。
【請求項３】
前記セキュリティ属性がパスワード設定情報であり、セキュリティ認証がパスワード入力であることを特徴とする請求項１記載の画像処理装置。
【請求項４】
前記サムネイル表示解除制御手段は、パスワードが入力され、サムネイルの表示が行われた後、ユーザによる画面初期化イベントでサムネイル非表示とすることを特徴とする請求項３記載の画像処理装置。
【請求項５】
前記サムネイル表示解除制御手段は、予め設定された時間、またはパスワードが入力され、サムネイルの表示が行われた後、ユーザによる画面初期化イベント操作が行われたときのいずれか早期に検知されたイベントでサムネイル非表示とすることを特徴とする請求項３記載の画像処理装置。
【請求項６】
前記サムネイル表示解除制御手段が予め設定された時間でサムネイル非表示とする場合、該当画像選択でサムネイル表示状態へ遷移する第１段階、該当画像選択でパスワード入力によりサムネイル表示状態へ遷移する第２段階の２つの段階を備えていることを特徴とする請求項４又は５記載の画像処理装置。
【請求項７】
前記サムネイル表示状態は、時間経過と共に前記第１段階から前記第２段階に順に遷移することを特徴とする請求項６記載の画像処理装置。
【請求項８】
画像データを蓄積する画像データ蓄積手段と、
前記表示手段が表示するサムネイルに対応するサムネイル用画像データを記憶する画像データ記憶手段と、
前記画像データ蓄積手段に蓄積された画像データから前記サムネイル用画像データを生成する生成手段と、
前記生成手段により生成された前記サムネイル用画像データを、前記画像データ蓄積手段から前記サムネイル用画像データ記憶手段に転送する転送手段と、
前記サムネイル用画像データを表示するサムネイル表示手段と、
前記サムネイル用画像データを表示するか否かを判断する判断手段と、
を備えていることを特徴とする請求項１ないし７のいずれか１項に記載の画像処理装置。
【請求項９】
蓄積された文書のセキュリティを考慮したサムネイルを表示する画像表示方法において、
画像データのセキュリティ属性に基づいてサムネイルの表示／非表示を判断し、
前記セキュリティ属性をパスワード設定情報とし、パスワードが入力されたサムネイルが表示されている場合に、サムネイルの表示からサムネイル非表示に切り替えることを特徴とする画像表示方法。
【請求項１０】
前記切り替えは、予め設定された時間が経過したとき、あるいはユーザによる画面初期化イベント操作が行われたときのいずれかの場合に実行されることを特徴とする請求項９記載の画像表示方法。
【請求項１１】
コンピュータにロードされ、サムネイル画像の表示制御を実行するコンピュータプログラムにおいて、
サムネイル表示画像の表示の可否を判定する手順と、
前記表示が可能な時に該当する画像を表示させる手順と、
前記表示が不可能なときに該当する画像の表示を抑制し、書誌情報とダミーの画像を表示させる手順と、
を備えたことを特徴とするコンピュータプログラム。
【請求項１２】
前記サムネイル表示画像の表示の可否の判定が前記サムネイル画像に付されたパスワードの照合により行われることを特徴とする請求項１１記載のコンピュータプログラム。
【請求項１３】
前記パスワード照合により表示可能と判定され、サムネイル表示が開始されてからの時間をカウントし、予め設定されている時間が経過したときに前記サムネイル表示を非表示とする手順をさらに備えていることを特徴とする請求項１２記載のコンピュータプログラム。
【発明の詳細な説明】
【技術分野】
【０００１】
本発明は、セキュリティを考慮したサムネイル表示を行う画像処理装置、画像表示方法、及び画像処理装置で実行されるコンピュータプログラムに関する。
【背景技術】
【０００２】
この種の技術として、たとえば特許文献１ないし３に開示された発明が公知である。このうち特許文献１には、ホストコンピュータからＰＤＬ（ページ記述言語）で記述された印刷データを印刷装置が受信し、該受信したデータを解析してビットマップを作成して印刷処理を実行する機密文書印刷システムにおいて、前記ホストコンピュータから前記印刷装置に対して、前記印刷データが親展印刷モードであること及び該印刷データの識別子とパスワードを指定する指定手段と、前記印刷データを該印刷装置内部の記憶装置に蓄積する蓄積手段とを有し、前記印刷装置は、前記指定手段により親展印刷モードが指定された時に、前記蓄積手段に印刷データを蓄積して印刷処理を行わず、該印刷データを印刷する際には、前記印刷装置の操作部から前記蓄積手段に蓄積されたデータを、識別子を用いて選択し、前記パスワードを入力することにより、印刷処理を実行した人物が印刷時に前記印刷装置の周囲に居ること及び該印刷装置側で印刷処理を実行する人物がデータを送信した本人であるか否かを判断する判断手段と、前記蓄積手段に蓄積されたデータを、文書内容をレイアウト情報のみ残した形で試し印刷を行う試し印刷手段と、を有することを特徴とする機密文書印刷システムが開示されている。このシステムは機密保持が必要な文書を印刷する際の利便性の向上と機密保持を容易に行うことができるようにすることを意図したものである。
【０００３】
また、特許文献２には、電子文書の中から、閲覧が禁止されている機密部分を特定する機密部分特定手段と、前記機密部分特定手段により特定された機密部分の表示を禁止し、かつこの機密部分に対する電子文書のレイアウト上の特性に応じて電子文書のレイアウトを変更して、電子文書を表示させる表示制御手段とを有する文書処理装置が開示されている。この文書処理装置は、電子文書の見た目を損ねずに、機密部分の閲覧を制限することを意図したものである。
【０００４】
さらに、特許文献３には、文書ファイルを示す文書画像を生成する文書画像生成手段と、この文書ファイルに含まれる機密部分に設定されたアクセス権の内容を示すアクセス権画像を生成するアクセス権画像生成手段と、前記文書画像生成手段により生成された文書画像の機密部分と、前記アクセス権画像生成手段により生成されたアクセス権画像とを互いに関連付けて、この文書画像およびアクセス権画像を出力する画像出力手段とを有するアクセス権が設定された文書ファイルの処理装置が開示されている。この文書ファイル処理装置は、文書ファイルにアクセス権が設定されていることを報知し、これにより、閲覧者に文書の機密レベルと、機密にすべき部分とを強く認識させて、閲覧者からの機密情報の漏洩防止と意図したものである。
【特許文献１】特開２００２−１３２４８２号公報
【特許文献２】特開２００４−２５９１９５号公報
【特許文献３】特開２００４−２８７７８９号公報
【発明の開示】
【発明が解決しようとする課題】
【０００５】
昨今、サムネイル表示はよく用いられており、容易に複数の画像の内容が確認できるため、多くのアプリケーションやＯＳにサポートされている。また、複写機などの操作部の画面にサムネイルを表示するものもある。しかしながら安易にサムネイル表示を行うと画像内容が第三者に漏れてしまいセキュリティ上好ましくない。前記特許文献１ないし３には、機密保持についての技術が開示され、その中で複数の画像データの内容を確認する場合などに用いられるサムネイルについての機密保持についても触れられているが、表示するかしないか、あるいは表示しないようにしたときに見栄えが悪くならないようにどうしたらよいか、さらには、文書による機密レベルの差を認識させるというもので、表示された後、どのようにするかと言うことまで配慮されてはいなかった。
【０００６】
本発明はこのような背景に鑑みてなされたもので、解決すべき課題は、セキュリティ認証された蓄積文書のセキュリティをより向上させることである。
【課題を解決するための手段】
【０００７】
前記課題を解決するため、第１の手段は、蓄積された文書のセキュリティを考慮したサムネイルを表示する画像処理装置において、画像データのセキュリティ属性に基づいてサムネイルの表示／非表示を判断するサムネイルの表示／非表示制御手段と、セキュリティ認証されたサムネイルが表示されている場合に、サムネイルの表示からサムネイル非表示に切り替えるサムネイル表示解除制御手段とを備えていることを特徴とする。
【０００８】
第２の手段は、第１の手段において、予め設定された時間が経過すると、前記サムネイル表示解除制御手段がサムネイル非表示とすることを特徴とする。
【０００９】
第３の手段は、第１の手段において、前記セキュリティ属性がパスワード設定情報であり、セキュリティ認証がパスワード入力であることを特徴とする。
【００１０】
第４の手段は、第３の手段において、パスワードが入力され、サムネイルの表示が行われた後、前記サムネイル表示解除制御手段はユーザによる画面初期化イベントでサムネイル非表示とすることを特徴とする。
【００１１】
第５の手段は、第３の手段において、予め設定された時間、又は、パスワードが入力され、サムネイルの表示が行われた後、ユーザによる画面初期化イベント操作が行われたときのいずれか早期に検知されたイベントで前記サムネイル表示解除制御手段はサムネイル非表示とすることを特徴とする。
【００１２】
第６の手段は、第４又は第５の手段において、前記サムネイル表示解除制御手段が予め設定された時間でサムネイル非表示とする場合、該当画像選択でサムネイル表示状態へ遷移する第１段階、該当画像選択でパスワード入力によりサムネイル表示状態へ遷移する第２段階の２つの段階を備えていることを特徴とする。
【００１３】
第７の手段は、第６の手段において、前記サムネイル表示状態が時間経過と共に前記第１段階から前記第２段階に順で遷移することを特徴とする。
【００１４】
第８の手段は、第１ないし第７の手段において、画像データに対応する画像のサムネイルを表示する表示手段と、画像データを蓄積する画像データ蓄積手段と、前記表示手段が表示するサムネイルに対応するサムネイル用画像データを記憶する画像データ記憶手段と、前記画像データ蓄積手段に蓄積された画像データから前記サムネイル用画像データを生成する生成手段と、前記生成手段により生成された前記サムネイル用画像データを、前記画像データ蓄積手段から前記サムネイル用画像データ記憶手段に転送する転送手段と、前記サムネイル用画像データを表示するサムネイル表示手段と、前記サムネイル用画像データを表示するか否かを判断する判断手段とを備えていることを特徴とする。
【００１５】
第９の手段は、蓄積された文書のセキュリティを考慮したサムネイルを表示する画像表示方法において、画像データのセキュリティ属性に基づいてサムネイルの表示／非表示を判断し、前記セキュリティ属性をパスワード設定情報とし、パスワードが入力されたサムネイルが表示されている場合に、サムネイルの表示からサムネイル非表示に切り替えることを特徴とする。
【００１６】
第１０の手段は、第９の手段において、前記切り替えは、予め設定された時間が経過したとき、あるいはユーザによる画面初期化イベント操作が行われたときのいずれかの場合に実行されることを特徴とする。
【００１７】
第１１の手段は、コンピュータにロードされ、所定の手順で前記コンピュータを備えた画像処理装置を制御するコンピュータプログラムにおいて、サムネイル表示画像の表示の可否を判定する手順と、前記表示が可能な時に該当する画像を表示させる手順と、前記表示が不可能なときに該当する画像の表示を抑制し、書誌情報とダミーの画像を表示させる手順とを備えたことを特徴とする。
【００１８】
第１２の手段は、第１１の手段において、前記サムネイル表示画像の表示の可否の判定が前記サムネイル画像に付されたパスワードの照合により行われることを特徴とする。
【００１９】
第１３の手段は、第１２の手段において、前記パスワード照合により表示可能と判定され、サムネイル表示が開始されてからの時間をカウントし、予め設定されている時間が経過したときに前記サムネイル表示を非表示とする手順をさらに備えていることを特徴とする。
【００２０】
なお、後述の実施形態では、表示手段は表示部１１７に、表示／非表示制御手段、サムネイル表示解除制御手段は表示管理部１１４に、画像データ蓄積手段は蓄積用画像記憶部１１２に、画像データ記憶手段は表示用画像データ記憶部１１５に、生成手段及び転送手段は画像管理部１１１に、サムネイル表示手段は表示部１１７に、判断手段は制御部１１０に、それぞれ対応する。
【発明の効果】
【００２１】
本発明によれば、セキュリティ認証された蓄積文書のサムネイルが表示されている場合に、サムネイルの表示からサムネイル非表示に切り替えるので、セキュリティ認証されたサムネイルの表示時間が限定され、これによりセキュリティ認証された蓄積文書のセキュリティをより向上させることができる。
【発明を実施するための最良の形態】
【００２２】
以下、図面を参照し、本発明の実施形態について説明する。
【００２３】
最初に、本実施の形態での処理の理解を容易にするために、図１及び図２を用いて本実施形態の概要について説明する。  
図１はサムネイルを表示した画面を示す図である。図１に示されるサムネイルには、４つの画像があり、そのうちの画像１００は、「！」となっている。この画像１００は、本来表示されるべき画像のサムネイルの表示が保留されていることを示す画像である。この画像１００の下には、本来表示されるべき画像のファイル名が記される。ここでは「右矢印」である。表示を保留された画像は、セキュリティが保たれる必要のある画像で例えばパスワードは設定されている画像である。この本来の画像を表示するためには、例えばユーザが画像１００をマウスで選択することによりパスワード入力画面（図６）が表示され、パスワードチェックが成功するとサムネイル表示保留が解除される。一例として図２に示されるような、本来の画像のサムネイルである画像１０１が表示される。このように画像に対するサムネイル表示でセキュリティを保持する必要のある画像の場合、サムネイル表示を保留するようにして文書画像のセキュリティを保つようにしている。  
以上が本実施形態の概要である。
【００２４】
図３は本実施形態に係る画像処理装置のソフトウェア構成を示すブロック図である。同図において画像処理装置のソフトウェアは、制御部１１０、画像管理部１１１、蓄積用画像記憶部１１２、画像属性保存用記憶部１１３、表示管理部１１４、表示用画像記憶部１１５、サムネイル非表示用記憶部１１６、及び表示部１１７を備えている。
【００２５】
制御部１１０は画像処理装置全体の制御を司る。画像管理部１１１は画像データの圧縮、生成など画像データの管理を行う。また、画像管理部１１１は画像データからサムネイル用画像データを生成する。蓄積用画像記憶部１１２は画像管理部１１１によって管理され、画像データを記憶する。画像属性保存用記憶部１１３は後述する画像データの属性を保存する。表示管理部１１４はサムネイルの表示に関する管理を行う。表示用画像記憶部１１５は表示管理部１１４によって管理され、サムネイルとして表示される画像データを記憶する。サムネイル非表示用画記憶部１１６は図１で説明した画像１００のようなサムネイルの表示を保留したことを示す保留画像を記憶する。表示部１１７は表示管理部１１４によって管理され、ユーザに対して画像を表示する。
【００２６】
図４は画像処理装置のハードウェア構成を示すブロック図である。同図において、画像処理装置は、コントローラボード６０、オペレーションパネル５３、ＦＣＵ（ファクシミリコントロールユニット）６８、エンジン部７１及びプロッタ７２を含む。また、ＦＣＵ６８はＧ３規格対応ユニット６９及びＧ４規格対応ユニット７０を有する。
【００２７】
コントローラボード６０は、ＣＰＵ６１、ＡＳＩＣ６６、ＨＤＤ６５、ローカルメモリ（ＭＥＭ−Ｃ）６４、システムメモリ（ＭＥＭ−Ｐ）６３、ノースブリッジ（以下、ＮＢと記す）６２、サウスブリッジ（以下、ＳＢと記す）７３、ＮＩＣ７４（Network Interface Card）、ＵＳＢデバイス７５、ＩＥＥＥ１３９４デバイス７６及びセントロニクスデバイス７７を含む。
【００２８】
オペレーションパネル５３は、コントローラボード６０のＡＳＩＣ６６に接続されている。また、ＳＢ７３、ＮＩＣ７４、ＵＳＢデバイス７５、ＩＥＥＥ１３９４デバイス７６及びセントロニクスデバイス７７は、ＮＢ６２にＰＣＩバスによって接続されている。また、ＦＣＵ６８、エンジン７１及びプロッタ７２は、コントローラボード６０のＡＳＩＣ６６にＰＣＩバスで接続されている。なお、コントローラボード６０は、ＡＳＩＣ６６にローカルメモリ６４、ＨＤＤ６５などが接続されると共に、ＣＰＵ６１とＡＳＩＣ６６とがＣＰＵチップセットのＮＢ６２を介して接続されている。このように、ＮＢ６２を介してＣＰＵ６１とＡＳＩＣ６６とを接続すれば、ＣＰＵ６１のインタフェースが公開されていない場合に対応できる。なお、ＡＳＩＣ６６とＮＢ６２とはＰＣＩバスを介して接続されているのでなく、ＡＧＰ（Accelerated Graphics Port）６７を介して接続されている。このように、一つ以上のプロセスを実行制御するため、ＡＳＩＣ６６とＮＢ６２とを低速のＰＣＩバスでなくＡＧＰ６７を介して接続し、パフォーマンスの低下を防いでいる。
【００２９】
ＣＰＵ６１は画像処理装置の全体制御を行う。ＮＢ６２は、ＣＰＵ６１、システムメモリ６３、ＳＢ７３及びＡＳＩＣ６６を接続するためのブリッジである。システムメモリ６３はサムネイルを記憶するメモリである。ＳＢ７３はＮＢ６２とＰＣＩバス、周辺デバイスとを接続するためのブリッジである。また、ローカルメモリ６４は画像データを記憶するメモリである。
【００３０】
ＡＳＩＣ６６は画像処理用のハードウェア要素を有する画像処理用途向けのＩＣである。ＨＤＤ６５は画像データの蓄積、文書データの蓄積、プログラムの蓄積、フォントデータの蓄積、フォームの蓄積などを行うためのストレージである。また、オペレーションパネル５３はユーザからの入力操作を受け付けると共に、ユーザに向けた表示を行う操作部である。サムネイルはこのオペレーションパネル５３に表示される。
【００３１】
なお、図３で説明した蓄積用画像記憶部１１２は、ＨＤＤ６５またはローカルメモリ６４に画像データを記憶する。画像属性保存用記憶部１１３も同様にＨＤＤ６５、ローカルメモリ６４または図示しない例えばＮＶ−ＲＡＭ（Non-Volatile  Random Access Memory）に記憶する。表示用画像記憶部１１５及びサムネイル非表示用画像記憶部１１６は、システムメモリ６３に設定され、システムメモリ６３に記憶させる。表示部１１７はオペレーションパネル５３にサムネイルなどを表示する。
【００３２】
図５は画像データからサムネイルが表示されるまでの画像データの流れを示す説明図である。図５には、全体画像１２０、複数の画像１２４，１２５，１２７、部分画像１２１、圧縮画像データ１２２、及び保留画像１２６が示されている。また、図５には、圧縮画像データ領域１２３、伸長後画像データ領域１２８、及び表示用メモリ領域１２９が示されているが、これらの領域は、表示用画像記憶部１１５が管理するメモリ領域である。全体画像１２０は、蓄積用画像記憶部１１２が記憶した画像データに対応する。圧縮画像データ１２２は部分画像１２１に対応する画像データを圧縮したものである。画像１２４は圧縮画像１２２を伸長し、伸長後画像データ領域１２８に記憶されている画像データに対応する画像である。画像１２５は表示用メモリ１２９に記憶されている画像データに対応する画像である。画像１２６は保留画像を示し、サムネイル非表示用画像メモリ領域１１８に記憶されている画像データに対応するものである。画像１２７は実際にオペレーションパネル５３に表示された画像である。
【００３３】
このような前提で、画像データの流れは次のようになる。すなわち、図５におけるステップＳ１０１で、部分画像１２１に対応する画像データを圧縮し、圧縮画像データ１２２が生成される。ステップＳ１０２で、圧縮画像データ１２２は圧縮画像データ領域１２３へ転送される。ステップＳ１０３で、圧縮画像データ１２２は伸長され、伸長後画像データ領域１２８へ展開される。伸長された画像データは、ステップＳ１０４で、表示用メモリ１２９に展開される。表示用メモリ１２９へ展開された画像データはステップＳ１０５で、オペレーションパネル５３に表示される。  
このように、画像データの転送は、図５のステップＳ１０２、ステップＳ１０３及びステップＳ１０４で行われる。
【００３４】
画像ファイルのセキュリティにはパスワードが使用される。パスワードを使用するためにはパスワードを設定する必要がある。そこで、図６ないし図８を参照し、画像ファイルのセキュリティ属性であるパスワード設定について説明する。
【００３５】
画像形成装置の１つである多機能複写装置では、画像データは周知の様に読取装置から原稿画像データが読み取られ図４のＨＤＤ６５に蓄積される。その場合、図４のオペレーションパネルに図７に示すような原稿読み取り画面が表示され、読み取り条件等を設定して原稿画像データの読み取りを行うことになる。ここで、蓄積画像データにセキュリティを掛けたい場合、図７の「パスワード」キー２００によって蓄積画像データに対してパスワードを設定することができる。図８は「パスワード」キー２００を押下したときの画面展開の一例を示す図である。この画面でテンキーからパスワードを入力して「実行キー」を押下すると、蓄積画像データに対してパスワードが設定される。パスワードが設定されている蓄積画像データを使用する場合は、パスワードを入力しないと画像の参照が行えないようになっておりセキュリティが保たれる。図６は文書パスワード確認画面を示す図で、このような画面でパスワード入力要求が行われ、テンキーからの入力によりパスワードが確認される。また、既に蓄積済みの画像データに対しても、後からパスワードを設定したり、設定を解除したり、パスワードを変更したりすることも可能である。
【００３６】
図９は前記パスワードを変更する場合等に使用するパスワード編集画面の一例を示す図である。図９（ａ）は蓄積済み画像の一覧を表示する画像の画面リストを示している。パスワードを変更する場合、パスワードを変更したい画像を図９（ａ）の画面から選択して文書管理キー３００を押下すると、図９（ｂ）に示すように文書管理のための「ユーザ名変更」、「文書名変更」、「パスワード変更」キー３０１が現れる。そこで、「パスワード変更」キー３０１を押下すると、図９（ｃ）に示すようなパスワード編集画面が表示される。ここの画面において該当画像のパスワードを「パスワードなし」「パスワード新規設定」「パスワード変更」することができる。
【００３７】
図１０はサムネイル一覧表示を行う制御部１１０の処理手順を示すフローチャートである。画像一覧表示処理（ステップＳ０）のルーチンでは、まず、制御部１１０がサムネイルで表示する画像数を取得する（ステップＳ１）。次に、画像一覧表示の対象となる全画像の表示処理が完了したかどうか判断する（ステップＳ２）。前画像の表示処理が完了していれば、処理は終了し、完了していなければ、サムネイルを表示するか否かの可否判定処理Ａを実行する（ステップＳ３）。この処理の詳細は後述するフローチャートで説明する。前記判定処理後、画像のサムネイルの表示の可不可を判断し（ステップＳ４）、サムネイル表示可能であれば、画像管理部１１１に画像データの転送処理Ｂを行わせる（ステップＳ５）。画像データが転送されると、画像表示処理が行われ、画像が表示部１１７にサムネイルとして表示される（ステップＳ６）。その後、再びステップＳ２に戻り、ステップＳ２以降の処理が繰り返される。
【００３８】
一方、ステップＳ４で画像のサムネイル表示不可であれば、制御部１１０は表示管理部１１４に事前に用意された保留画像を表示させる（ステップＳ７）。このとき、本来表示すべき画像のファイル名は表示される。そして、ステップＳ６に移行し、ステップＳ６の処理後、ステップＳ２の処理に戻って以降の処理を繰り返す。
【００３９】
図１１は図１０のステップＳ３のサブルーチンの処理手順を示すフローチャートである。ステップＳ３の該当画像の表示の可否判定処理Ａでは、制御部１１０は画像データの画像属性を取得し、該当画像がパスワード付きの画像であるか否かを判断する（ステップＳ１１）。このパスワードは画像データに設定することが可能であり、前記図７ないし図９を参照して説明したように画像を蓄積するときや蓄積済みの画像に対してパスワードの編集（パスワード非設定、新規設定、パスワード変更）を行うことができる。このようにして画像データにパスワード情報（パスワードの有無）が設定され、あるいは設定することができ、そのパスワード情報に基づきサムネイルを表示することができる。そこで、ステップＳ１１でパスワード付きファイルであると判断された場合には、サムネイル表示抑制フラグをセットし（ステップＳ１２）、パスワード付きフラグでなければサムネイル表示抑制フラグをリセットする（ステップＳ１３）。これによりパスワード付きファイルか否かはサムネイル表示抑制フラグに記憶される。そして、このフラグがステップＳ４で参照され、ステップＳ５あるいはＳ７の処理が実行される。
【００４０】
図１２は図１０のステップＳ５のサブルーチンの処理手順を示すフローチャートである。ステップＳ５の該当画像の転送処理Ｂでは、画像管理部１１４は、まず、全体画像データの画像データ圧縮処理を行い（ステップＳ２１）、画像管理部１１４は圧縮画像データの表示用画像記憶部１１５への転送処理を行う。次に、表示管理部１１４は圧縮画像データの伸長処理を行い（ステップＳ２３）、伸長された画像データを表示用記憶部１１５にＤＭＡ転送する（ステップＳ２４）。
【００４１】
図１３はサムネイル画像一覧表示後の処理手順を示すフローチャートである。サムネイル画像一覧表示後のルーチン（ステップＳ３０）では、画像一覧にサムネイル非表示画像があるか否かをチェックし（ステップＳ３１）、あればさらにサムネイル表示抑制画像が選択されたか否かをチェックする（ステップＳ３２）。このチェックで選択されていれば、サムネイル表示抑制の理由がパスワード付きの画像であるか否かをチェックし（ステップＳ３３）、パスワード付きの画像であれば図６に示したパスワード入力画面が表示される（ステップＳ３４）。そこで、この表示されたパスワード入力画面からパスワードを入力し、パスワードの照合がＯＫであれば（ステップＳ３５−ＯＫ）、ステップＳ３６，３７で既に述べたように画像転送を行い、画像のサムネイル表示を行う。その例が図２に相当する。なお、ステップＳ３２からＳ３５でパスワード設定によるサムネイル表示保留画像が選択されたか否かを判定するが、選択されていれば、例えば図１のような画像１００が表示される。
【００４２】
このように画像データにパスワード情報（パスワードの有無）が設定されている場合には、そのパスワード情報に基づいてサムネイルを表示することができる。なお、このように画像にセキュリティが掛かっている場合、むやみにサムネイル表示しないようにしているので、画像のセキュリティを保持することができる。
【００４３】
図１４は規定時間経過で表示が初期化され、パスワードつき画像のサムネイル表示を抑制する制御手順を示すフローチャートである。この画像一覧表示後の処理手順（ステップＳ４０）では、表示初期化タイマを初期化した後（ステップＳ４１）、図１３のステップＳ３１からステップＳ３７まで実行し、ステップＳ３７で該当画像の画像表示処理を実行した後、表示初期化タイマをカウントアップし（ステップＳ４２）、画面初期化キーイベントの有無をチェックする（ステップＳ４３）。画面初期化キーイベントがなければ、さらに、表示初期化タイマが規定値を超えたか否かをチェックし、超えていなければステップＳ３１に戻って、当該ステップ以降の処理を繰り返し、画面初期化キーイベントがある場合（ステップＳ４３−Ｙｅｓ）、及び表示初期化タイマが規定値を超えていれば（ステップＳ４４−Ｙｅｓ）、ステップＳ４５で前述の図１０に示した画像一覧表示処理のルーチン（ステップＳ０）を実行する。そして、ステップＳ４５の処理が完了すると、ステップＳ４１に戻って、以降の処理を繰り返す。なお、ユーザによる画面初期化イベントとは、設定モードをクリアするモードクリアキー操作、また余熱状態へ移行する余熱キー操作が相当する。
【００４４】
この図１４に示した処理手順では、ステップＳ４１，Ｓ４２〜Ｓ４５では規定時間経過で表示が初期化され、パスワードつき画像のサムネイル表示が抑制される、また、前記ステップでユーザの画面初期化指示によってもパスワード付き画像のサムネイルがサムネイル非表示となる仕組みを示している。これによりパスワード付きの画像がむやみに公開されることがなくなり画像のセキュリティが保たれる。
【００４５】
図１５は、パスワード付き画像のサムネイル画像選択後の「サムネイル表示状態」と「再選択時のパスワード入力チェック要不要状態」を示す図である。領域Ｓ１００は画像非選択状態であり、サムネイルは非表示であり、パスワード入力を行うことによりサムネイル画像を表示することができる。領域Ｓ２００はＳ１００の状態から画像選択されパスワード入力でサムネイルが表示された状態である。この画像選択状態からの経過時間ｔ１とｔ２でサムネイル表示状態とサムネイル表示のためのチェックの仕組みを変えている。領域Ｓ３００ではＳ２００で表示していたサムネイルをセキュリティの観点から非表示とする。しかし、いちいちパスワードを再入力する操作性の低下を考慮してパスワード入力なしで画像選択のみでサムネイル表示を可能としている領域である。一方、領域Ｓ４００ではＳ３００より更に画像選択から時間が経過している。ここではセキュリティ上サムネイルは非表示としてサムネイル表示のためにはパスワードの入力を必要とする。領域Ｓ４００は状態的にはＳ１００と同じ物となる。
【００４６】
このようにパスワードつき画像のサムネイル表示とサムネイルの表示のためのパスワード入力チェック状態を２段階に構成することにより、画像のセキュリティと操作性の向上の双方が実現できる。
【００４７】
以上のように本実施形態によれば、以下のような効果を奏する。
【００４８】
１）セキュリティ属性のある画像のサムネイルをいつまでも表示しておくことはセキュリティ上好ましくないので、画像データのセキュリティ属性に基づいてサムネイルの表示／非表示を判断するようにした。すなわち、パスワード設定等でセキュリティ認証され、サムネイル表示されている画像を非表示とすることができるようにした。これによりセキュリティ保護ざれた画像のセキュリティを保つことが可能となる。
【００４９】
２）時間をパラメータとしてサムネイル表示されている画像を非表示とするようにした。すなわち、規定時間経過するとサムネイル表示が非表示となるようにした。これによりセキュリティ保護ざれた画像のセキュリティを保つことができる。なお、前記規定時間は、画面を操作開始した時からの時間経過、またはパスワードを入力したサムネイル表示した後の時間によって設定される。
【００５０】
３）パスワード設定等でセキュリティ認証されサムネイル表示されている画像をユーザ操作によるイベントで非表示とするようにした。これによりセキュリティ保護ざれた画像のセキュリティを保つことができる。
【００５１】
４）サムネイル表示解除を前記規定時間または前記ユーザ操作のいずれか早期に検知されたイベントで実行するようにしたので、すなわち、パスワード設定等でセキュリティ認証されサムネイル表示されている画像を非表示にするための制御を規定したので、操作性の高いサムネイル表示／非表示制御を実現できる。
【００５２】
５）パスワード設定等でセキュリティ認証されサムネイル表示されている画像を、画像セキュリティ上の観点からサムネイル非表示にするようにしたが、セキュリティ上は一度サムネイルを見ると早いタイミングで前記サムネイルを見ることができなくなるようにしている。しかし、早いタイミングで見られなくなるようにすると、再度見るにはパスワードをまた入力しなければならない。そこで、前述の実施形態では、規定時間を２段階として、第１段階では、サムネイル非表示とした場合、ファイル選択時にはパスワード入力なしでサムネイル表示させ、第２段階では、第１段階を過ぎているのでセキュリティ上パスワードを入力することでサムネイルを再表示させる。これにより第１段階では、わざわざパスワードを入れる手間なくサムネイル表示を再表示でき、第２段階では、ユーザマシン前にいない第三者などがパスワード入力なしでサムネイル表示が行われないようにするためである。これによりセキュリティの向上と操作性の低下を防ぐことができる。
【図面の簡単な説明】
【００５３】
【図１】本発明の実施形態に係るサムネイルの表示を保留した画面を示す図である。
【図２】図１におけるサムネイルの表示の保留を解除した画面を示す図である。
【図３】本実施形態に係る画像処理装置のソフトウェア構成を示すブロック図である。
【図４】本実施形態に係る画像処理装置のハードウェア構成を示すブロック図である。
【図５】画像データからサムネイルが表示されるまでのデータの流れを示す説明図である。
【図６】文書パスワード確認画面を示す図である。
【図７】原稿読み取りによる文書蓄積画面を示す図である。
【図８】文書のパスワード設定画面を示す図である。
【図９】蓄積済み画像のリスト、文書管理及びパスワード編集画面を示す図である。
【図１０】サムネイル一覧表示を行う制御部１１０の処理手順を示すフローチャートである。
【図１１】図１０のステップＳ３のサブルーチンの処理手順を示すフローチャートである。
【図１２】図１０のステップＳ５のサブルーチンの処理手順を示すフローチャートである。
【図１３】サムネイル画像一覧表示後の処理手順を示すフローチャートである。
【図１４】規定時間経過で表示が初期化され、パスワードつき画像のサムネイル表示を抑制する制御手順を示すフローチャートである。
【図１５】パスワード付き画像のサムネイル画像選択後の「サムネイル表示状態」と「再選択時のパスワード入力チェック要不要状態」を示す図である。
【符号の説明】
【００５４】
１００  画像
１０１  制御部
１１１  画像管理部
１１２  蓄積用画像記憶部
１１３  画像属性保存用記憶部
１１４  表示管理部
１１５  表示用画像記憶部
１１６  サムネイル非表示用画像記憶部
【図１】
2007220025.tif 000003
【図２】
2007220025.tif 000004
【図３】
2007220025.tif 000005
【図４】
2007220025.tif 000006
【図５】
2007220025.tif 000007
【図６】
2007220025.tif 000008
【図７】
2007220025.tif 000009
【図８】
2007220025.tif 000010
【図９】
2007220025.tif 000011
【図１０】
2007220025.tif 000012
【図１１】
2007220025.tif 000013
【図１２】
2007220025.tif 000014
【図１３】
2007220025.tif 000015
【図１４】
2007220025.tif 000016
【図１５】
2007220025.tif 000017